(57)【要約】      （修正有）【課題】作動波段内でアンテナの垂直ビームの下傾角の変化と、不円度が小さく、一致性が高く、干渉抵抗力が強く、かつ構造が簡単な組合式小径二重周波数全方向アンテナを提供する。【解決手段】印刷板と、マイクロストリップ全方向振子５と、内部に印刷板およびマイクロストリップ全方向振子が置かれた金属円管振子と、プラスチック支柱とを含み、金属円管振子は、プラスチック支柱を介して印刷板に固定され、プラスチック支柱は、ねじを介して印刷板に固定されている。またマイクロストリップ全方向振子は半波振子を二つ有して、二つの半波振子が四本の振子アームを持って、四本の振子アームが隣り合った端で直接に接続しており、二つの半波振子は平行に置かれ、二つの半波振子の間に金属マイクロストリップ接地線６を有し、金属マイクロストリップ接地線から二つの半波振子までの距離が等しい。【選択図】図１
0003188799.tif 000002
【実用新案登録請求の範囲】
【請求項１】
金属円管振子、印刷板、上記の金属円管振子の中に入れられるマイクロストリップ全方向振子とプラスチック支柱を含むことを特徴とする組合式小径二重周波数全方向アンテナ。
【請求項２】
上記のマイクロストリップ全方向振子が半波振子を二つ有して、二つの半波振子が四本の振子アームを持って、四本の振子アームが隣り合った端で直接に接続して接地することを特徴とする請求項１に述べられた組合式小径二重周波数全方向アンテナ。
【請求項３】
二つの半波振子が平行で置かれて、その間に距離を残している。二つの半波振子の間に金属マイクロストリップ接地線で接地して、金属マイクロストリップ接地線から二つの半波振子までの距離が同じなことを特徴とする請求項２に述べられた組合式小径二重周波数全方向アンテナ。
【請求項４】
上記の二つの半波振子の四つのアームが隣り合った端で直接に金属マイクロストリップ接地線と接続して、振子アームの内側と外側から金属接地線まで一定の距離があることを特徴とする請求項３に述べられた組合式小径二重周波数全方向アンテナ。
【請求項５】
二つの金属円管振子の間に接地する長方形のマイクロストリップがあることを特徴とする請求項１に述べられた組合式小径二重周波数全方向アンテナ。
【請求項６】
上記のマイクロストリップ全方向振子が印刷板の片側のマイクロストリップ伝送線を経由して直接にフィードを行うが、フィードポイントにマイクロストリップ全方向振子とマイクロストリップ伝送線を接続する金属穴があることを特徴とする請求項１に述べられた組合式小径二重周波数全方向アンテナ。
【請求項７】
上記の金属円管振子とマイクロストリップ全方向振子の中心を合わせて、金属円管振子の内壁からマイクロストリップ全方向振子のアームまで距離があることを特徴とする請求項１に述べられた組合式小径二重周波数全方向アンテナ。
【請求項８】
上記の金属円管振子のフィード方式が印刷板振子でカップリングされてフィードされていることを特徴とする請求項１に述べられた組合式小径二重周波数全方向アンテナ。
【請求項９】
上記の金属振子がプラスチック支柱で印刷板に位置付けられていることを特徴とする請求項１に述べられた組合式小径二重周波数全方向アンテナ。
【請求項１０】
上記の二つの金属円管振子の間にマイクロストリップコプレーナ導波で接続されていることを特徴とする請求項１に述べられた組合式小径二重周波数全方向アンテナ。
【考案の詳細な説明】
【技術分野】
【０００１】
当考案はアンテナデバイス技術分野に関わったもので、更に具体的に言うと、組合式小径二重周波数全方向アンテナに関わったものである。
【背景技術】
【０００２】
現在の通信システムでは、室外の団地信号がカバーしている全方向アンテナユニットの間のフィード方式はクロスフィード、センタフィードとシャントフィードがある。クロスフィードはアンテナの幅が狭くて、アンテナの高低周波の下傾角が一致しなくて、異なった下傾角の設計が比較的に複雑で、定常波比の一致性がよくなくて、ゲインがわりに低くて、副波瓣がわりに大きくて、しかも水平方図の不円度が各周波数で異なって、カバー範囲に影響を与える欠点がある。常規のシャントフィードはアンテナの体積が大きくて、ケーブルが多くて線の配置が複雑で、ロスが大きくて、アンテナがとても高いゲインに達することを制限して、不円度が悪くて、生産が複雑で、一致性が悪くて、コストが高い欠点がある。現在室外団地信号がカバーした全方向アンテナはすべて単一周波数のもので、単独の通信体制ネットに対して、異なった通信ネットは異なるアンテナとサイトを必要とするので、資源の浪費をもたらす。
【考案の概要】
【考案が解決しようとする課題】
【０００３】
本考案の目的は現在の技術の不足を解決するために、構造が簡単で、製造が便利で、精度が高くて、コストが低くて、重量が軽くて、高性能の組合式小径二重周波数全方向アンテナを提供するのである。
【課題を解決するための手段】
【０００４】
本考案は上記の目的を実現するために、金属円管振子、印刷板、上記の金属円管振子の中に入れられるマイクロストリップ全方向振子とプラスチック支柱を含むことを特徴とする技術解決案を採用している。
【０００５】
上記の案を更に説明すると、上記のマイクロストリップ全方向振子が半波振子を2個有して、2個の半波振子に4本の振子アームを含んで、4本の振子アームが隣り合った端で直接に接続して接地する。
【０００６】
上記の二個の半波振子が平行で置かれて、相互に距離を残している。
【０００７】
2個半波振の子の間に金属のマイクロストリップ接地線で接地して、金属のマイクロストリップ接地線から二個の半波振子までの距離が同じである。
【０００８】
上記の二個の半波振子の四つのアームが隣り合った端で直接に金属マイクロストリップ接地線と接続して、振子アームの内側と外端が金属接地線と一定の距離を離れている。
【０００９】
上記の二つの金属円管振子の間に接地する長方形のマイクロストリップがある。
【００１０】
上記のマイクロストリップ全方向振子は印刷板の片側のマイクロストリップ伝送線を経由して直接にフィードして、フィードポイントにマイクロストリップ全方向振子と伝送線を接続する金属の穴がある。
【００１１】
上記の金属円管振子とマイクロストリップ全方向振子は中心を合わせて、金属円管振子の内壁から全方向振子のアームまで距離を離れている。
【００１２】
上記の金属円管振子のフィード方式は印刷板の振子を通じてカップリングしてフィードするのである。
【００１３】
上記の金属振子はプラスチック支柱で印刷板にサポートされて位置付けている。
【００１４】
上記の二つの金属円管振子の間にマイクロストリップコプレーナ導波路で接続されている。
【考案の効果】
【００１５】
本考案が上記の技術解決案を採用して達成した効果として、
1、本考案は１つの金属管と1つの新型マイクロストリップ振子を含んで、マイクロストリップ振子が金属管の中間に置かれて、二つのユニットの間にコプレーナ導波路で接続されて、加工技術を簡略化にして、精度を高めて、大幅に生産コストを下げて、アンテナの直径が小さくて、据付が便利で、干渉抵抗力が強くて、構造が簡単で、コストが低くて、２つの異なった周波数の通信ネットが一つのアンテナとステーションを使うことができるなどの美点を有している。
2、本考案の１つのユニットには一つの金属管と２つのU形マイクロストリップ振子で形成される二重周波数全方向アンテナを有して、実践によって、現在の技術と比べて、この原理の二重周波数アンテナが外の金属円管とマイクロストリップ全方向振子の長さと隙間などを調整して、二つの波段の間の間隔を調整することができて、超ブロードバンドアンテナのユニットを形成して、作動波段内のアンテナの垂直ビームの下傾角の変化が小さくて、不円度が小さくて、一致性が高くて、ゲインが高くて、多数のユニットの設計に便宜を図ることを証明した。
【図面の簡単な説明】
【００１６】
【図１】本考案の印刷板マイクロストリップ振子の説明図である。
【図２】本考案のアンテナの立体説明図である。
【図３】本考案のアンテナの立体と断面説明図である。
【考案を実施するための形態】
【００１７】
図1のように、本考案は組合式小径二重周波数全方向アンテナで、印刷板1、金属円管振子2、プラスチック支柱3、マイクロストリップ全方向振子5を含んで、上記のマイクロストリップ全方向振子5は二つの半波振子を有して、二つの半波振子が平行で置かれて、四本の振子アームが一端で直接に接続して接地して、二つの半波振子の間に振子と直接に接続する金属マイクロストリップ接地線6があって、マイクロストリップ全方向振子5と金属マイクロストリップ接地線6が印刷板1の同じな平面にある。マイクロストリップ全方向振子5が印刷板1の別の側のマイクロストリップフィーダ線7を経由して直接にフィードして、フィーダ線7とマイクロストリップ全方向振子5の間にフィードポイントとする金属穴8があって、信号がマイクロストリップフィーダ線7を通じてアンテナに入力されて、二つのユニットの間のマイクロストリップフィーダ線7がマイクロストリップコプレーナ導波路伝送線9を経由して接続する。二つのマイクロストリップ全方向振子5の間に長方形のマイクロストリップ金属接地面がある。
【００１８】
図2、3のように、印刷板1が金属円管振子2の中に入れられて、マイクロストリップ全方向振子5と金属円管振子2の間に一定の隙間があって、マイクロストリップ全方向振子5のエネルギーが直接に金属円管振子にカップリングされて、金属円管振子2の中心とマイクロストリップ全方向振子の中心を合わせて、金属円管振子2がプラスチック支柱3で印刷板1と位置付けられて、プラスチック支柱3がねじ4で印刷板と固定されている。
【００１９】
上記の実施例は本考案の最適な実施例で、当分野の普通の技術者にとって、本考案の構想を逸脱しない前提で、更に若干の変形と改善を行うことができるが、これらはすべて本考案の保護範囲に属すことが言うまでもない。
【符号の説明】
【００２０】
1  印刷板
2  金属円管振子
3  プラスチック支柱
4  ねじ
5  マイクロストリップ全方向振子
6  金属マイクロストリップ線
7  マイクロストリップフィーダ線
8  フィードポイント
9  マイクロストリップ.コプレーナ導波路伝送線
【図１】
0003188799.tif 000003
【図２】
0003188799.tif 000004
【図３】
0003188799.tif 000005
【手続補正書】
【提出日】平成25年12月4日(2013.12.4)
【手続補正１】
【補正対象書類名】実用新案登録請求の範囲
【補正対象項目名】全文
【補正方法】変更
【補正の内容】
【実用新案登録請求の範囲】
【請求項１】
印刷板と、マイクロストリップ全方向振子と、内部に上記印刷板および上記マイクロストリップ全方向振子が置かれた金属円管振子と、プラスチック支柱とを含み、
上記の金属円管振子は、上記プラスチック支柱を介して上記印刷板に固定され、
上記プラスチック支柱は、ねじを介して上記印刷板に固定されていることを特徴とする組合式小径二重周波数全方向アンテナ。
【請求項２】
上記のマイクロストリップ全方向振子が半波振子を二つ有して、二つの半波振子が四本の振子アームを持って、四本の振子アームが隣り合った端で直接に接続して接地することを特徴とする請求項１に述べられた組合式小径二重周波数全方向アンテナ。
【請求項３】
二つの半波振子が平行で置かれて、その間に距離を残しており、二つの半波振子の間に金属マイクロストリップ接地線で接地して、金属マイクロストリップ接地線から二つの半波振子までの距離が同じなことを特徴とする請求項２に述べられた組合式小径二重周波数全方向アンテナ。
【請求項４】
上記の二つの半波振子の四つのアームが隣り合った端で直接に金属マイクロストリップ接地線と接続して、振子アームの内側と外側から金属接地線まで一定の距離があることを特徴とする請求項３に述べられた組合式小径二重周波数全方向アンテナ。
【請求項５】
二つの金属円管振子の間に接地する長方形のマイクロストリップがあることを特徴とする請求項１に述べられた組合式小径二重周波数全方向アンテナ。
【請求項６】
上記のマイクロストリップ全方向振子が印刷板の片側のマイクロストリップ伝送線を経由して直接にフィードを行うが、フィードポイントにマイクロストリップ全方向振子とマイクロストリップ伝送線を接続する金属穴があることを特徴とする請求項１に述べられた組合式小径二重周波数全方向アンテナ。
【請求項７】
上記の金属円管振子のフィード方式が印刷板振子でカップリングされてフィードされていることを特徴とする請求項１に述べられた組合式小径二重周波数全方向アンテナ。
【請求項８】
上記の金属振子がプラスチック支柱で印刷板に位置付けられていることを特徴とする請求項１に述べられた組合式小径二重周波数全方向アンテナ。